Podtech/llm-jp-corpus-v4-ja_patent huggingface dataset:
(57)【要約】      （修正有）【課題】植物栽培用鉢やコンテナ容器に、必要に応じて簡易に灌水させる装置を提供する。【解決手段】本体先端１が植物栽培用容器５の容器排水孔からねじ込み可能な形状を有し、挿入された本体と植物栽培用容器内土部と接する本体吸水・吸引部３は栽培用容器外部に備えられた貯水槽７へ延長された長さをもって貯水槽へ浸水可能として、貯水槽から毛細管現象利用可能な不織布や紐状繊維からなる素材の吸水・吸引作用により、栽培用容器排水孔から用土部へ吸水・吸引させるようにして簡易底面灌水装置を構成する。【選択図】図３
0003152261.tif 000002
【実用新案登録請求の範囲】
【請求項１】
本体先端が植物栽培用容器の容器排水孔からねじ込み可能な形状を有し、挿入された本体と植物栽培用容器内用土部と接する本体吸水・吸引部は栽培用容器外部に備えられた貯水槽へ延長された長さをもって貯水槽へ浸水可能として、貯水槽から毛細管現象利用可能な不織布や紐状繊維からなる素材の吸水・吸引作用により、栽培用容器排水孔から用土部へ吸水・吸引させることを可能とした簡易底面灌水装置。
【考案の詳細な説明】
【技術分野】
【０００１】
本考案は、植物栽培用鉢やコンテナ容器に必要に応じて簡易に灌水させる装置の提供で、栽培容器外部に備えられた貯水槽から容器内用土部へ吸引、吸水させる簡易な灌水装置である。
【背景技術】
【０００２】
園芸店で購入する鉢植え植物や栽培容器に育成した植物への灌水は、容器の上からジョロやホースなどで常時灌水する方法が一般的である。日常生活に於いてはこうした常時灌水が困難な場合があり、応急処置として容器排水受け皿に水を張るなど個々が対策を講じていることが大半で、後付の簡易な灌水装置の提供が乏しいのが現状である。常時灌水が長く滞れば、植物が弱る、枯れてしまうのが現状である。
【０００３】
生産の現場では、植物の品種によっては鉢底を二重構造として不織布を鉢底に固定させて容器底に蓄えた水を吸水させる方法が用いられている。  
【先行技術文献】
【特許文献】
【０００４】
【特許文献１】特開平８−１９６１５７
【特許文献２】特開平１０−１２７１９１
【考案の概要】
【考案が解決しようとする課題】
【０００５】
市販の鉢植え植物やコンテナに育成された植物は、容器上部からジョロやホースなどによって常時灌水を必要とする。大規模設計の場合には自動灌水装置を設置して灌水の管理をする方法が取られるが、家庭園芸での自動灌水装置の設置は一般的ではない。日常生活で起こりうる数日間程度の無灌水という状況下に於いて、後付けで簡易に栽培容器へ灌水を提供する簡易灌水装置の実現を課題とする。
【課題を解決するための手段】
【０００６】
本考案は、必要に応じて植物用鉢やコンテナ容器の底部排水孔や開口部から容器用土部へ本体を挿入することにより、用土部と接する本体の吸水、吸引部が更に延長された長さをもって容器外部の貯水槽に浸水することにより、簡易に用土部へ灌水させることを実現する簡易灌水装置を提供するものである。
【考案の効果】
【０００７】
本考案によれば、必要に応じて自在に容器用土部へ本体を挿入することにより、外部貯水槽から毛細管現象等の機能を有する本体吸水・吸引部の吸水吸引作用により簡易灌水の提供を実現可能とする。
【図面の簡単な説明】
【０００８】
【図１】簡易灌水装置本体
【図２】植物栽培容器への挿入例
【図３】植物栽培容器外部貯水槽からの吸水、吸引例
【考案を実施するための最良の形態】
【０００９】
本考案の実施形態を図１から図３により説明する。実施形態の説明に当たり用いられる図中の用語や実施形状は、本考案を総括的に説明するための表現でありこれに限定されるものではない。
【００１０】
図１は本考案の実施形態本体の説明図である。１は植物栽培容器用土部への簡易灌水装置本体であり、容器排水孔から挿入可能な径及び形状を有し容器内に収まることを特長とする。
【００１１】
２は、植物栽培容器用土部への挿入先端部で、外部貯水槽からの吸水、吸引部３が延長されている。本考案の実施形態では先端をねじ込み式形状としたが、植物栽培容器に用いられている用土の特性によって、簡易に差込を可能とするノミの先端形状或いは鋭角な多角形、曲面等形状はそれぞれの条件に適応した形状を用いるものとする。
【００１２】
４は、本体が用土部へ挿入の際のストッパー的はたらき役割を有する部位である。また、４により栽培容器排水孔から本体先端部挿入の長さを調整可能とする。
【００１３】
図１の２及び３は、本実施形態では不織布・吸水テープを用いたが、同等の毛細管現象を利用可能な素材や材質であればこれに限らない。
【００１４】
図２は５の栽培用鉢やコンテナ容器の底部排水孔６から本体を挿入する図を現す。実施形態では底部排水孔からの挿入で実施したが、本体を挿入して吸水・吸引部の毛細管現象利用が可能であれば、底部に限らず栽培容器の開口部から容器用土部へ簡易な灌水を実現することができる。
【００１５】
図３は、図２の栽培容器と底部に挿入された本体を貯水可能な簡易容器７の網目状蓋の簡易な貯水槽で実施した例である。この７の上に図２の５を配置して３の吸水・吸引部が下部貯水槽へ浸水することによって５の用土部へ簡易に灌水が吸引・吸水される説明図である。この簡易貯水槽の大きさによって、上部に配置される栽培容器数量の増減が可能である。
【００１６】
本考案によれば、本体１のサイズと先端形状、３のサイズと素材、材質の違いにより、植物栽培容器の植物に用いられるあらゆる用土、異なったサイズや形状等に制約される事無く、其々に対応した簡易灌水装置の提供を可能とする特長を有するものである。
【産業上の利用可能性】
【００１７】
市販の鉢植え植物やコンテナ栽培の植物或いは植物を植えるための栽培用鉢や容器では、一般的に容器上部からジョロやホースなどの水撒き作業によって植物に灌水させるものである。しかし場合によっては日常的な灌水が出来ない事情もあり、灌水が滞ると植物が枯れる等の問題が起こるのが現状である。これらの植物用鉢や栽培容器に自動灌水装置を設置して日常の灌水を管理しようという方法があるが、灌水の流量調整が難しい、また価格の問題、メンテナンスの問題等一般的ではなく、設置に際しては専門家の施工を必要とするなど問題点が多い。本考案は、さまざまな栽培容器に簡易に使用が可能である簡易灌水装置の提供である。灌水を必要とする場面で、簡易に容器排水孔や開口部へ挿入することにより、容器外部に備えられた貯水槽から吸水吸引を実現し用土部への灌水を可能とする装置である。見た目にも目立たず、単に簡易灌水の目的に留まらずインテリア用使いにも十分適応するものであり、植物を用いた用途の拡大が期待される。
【符号の説明】
【００１８】
１    本考案の本体
２    本考案の本体の先端
３    本考案の本体の先端から延長された吸水・吸引部
４    本体挿入時ストッパー及び挿入調整部
５    植物栽培用容器
６    植物栽培用容器底部排水孔
７    外部貯水槽
【図１】
0003152261.tif 000003
【図２】
0003152261.tif 000004
【図３】
0003152261.tif 000005
(57)【要約】      （修正有）【課題】耐圧性・耐熱耐寒性にすぐれ、かつ小さい半径で曲げることができるフッ素樹脂製フレキシブルホースを提供する。【解決手段】内径側は平滑面とし、両端部１２を除く中間部１１の外径側にホースと一体で複数の円板状のフィン１１１を密接して形成し、フィンとフィンとの谷間を、その外面中央が本来の外径よりもやや小径のＵ字形状としてフッ素樹脂製フレキシブルホースを構成する。【選択図】図１
0003152225.tif 000002
【実用新案登録請求の範囲】
【請求項１】
内径側は平滑面とし、両端部を除く中間部の外径側にホースと一体で複数の円板状のフィンを密接して形成し、フィンとフィンとの谷間を、その外面中央が本来のホースの外径よりもやや細いＵ字形状としたことを特徴とするフッ素樹脂製フレキシブルホース。
【請求項２】
前記フッ素樹脂が透明、あるいは半透明のものである請求項１に記載のフッ素樹脂製フレキシブルホース。
【考案の詳細な説明】
【技術分野】
【０００１】
本考案は、各種化学プラントや、薬品などの液体を扱う機器等に使用されるフッ素樹脂製フレキシブルホースに関する。
【背景技術】
【０００２】
各種化学プラントや、薬品などの液体を扱う機器等において、固定配管と機器との中間など、配管系統内の相対変位や取り外しが予想される部分にはフレキシブルホースが使用される。
特許文献１には、高い耐圧性を有し、耐ガソリン透過性、振動吸収性および耐キンク性に優れ、かつ適度な曲げ剛性を有する自動車燃料配管用ホースが記載されている。このホースは図３に示すようにフッ素樹脂の内層９１と、その外周に形成されたポリアミド樹脂エラストマーの中間層９２と、さらにその外周に形成された金属ワイヤのブレード編みからなる外層９３とで構成されている。
【０００３】
内層９１のフッ素樹脂は優れた耐ガソリン透過性を有し、しかも内層９１を薄肉とすることで低コストが実現できる。また中間層９２のポリアミド樹脂エラストマーはフッ素樹脂の薄肉化による耐キンク性や耐圧性の低下を防止し、柔軟性が付与される。そして金属ワイヤのブレード編みからなる外層９３は特定の曲げ剛性を有するため、ホース全体が適度な剛性を有するという特徴を備える。
【先行技術文献】
【特許文献】
【０００４】
【特許文献１】特開平６−２８６０３６号公報
【考案の概要】
【考案が解決しようとする課題】
【０００５】
しかしこのような従来公知のフレキシブルホースは、曲げる場合の断面のつぶれ防止の役割をする金属ブレードがあるため、あまり小さい半径では曲げられないという問題点がある。またホース全体が金属ブレードで覆われているため、内部の状態が観察できないという問題点も有している。
本考案は、従来にない小さい半径で曲げることが可能で、さらに材質によっては内部の状態の観察も可能としたフッ素樹脂製フレキシブルホースを提供することを目的とする。
【課題を解決するための手段】
【０００６】
請求項１に記載の本考案は、内径側は平滑面とし、両端部を除く中間部の外径側にホースと一体で複数の円板状のフィンを密接して形成し、フィンとフィンとの谷間を、その外面中央が本来のホースの外径よりもやや細いＵ字形状としたことを特徴とするフッ素樹脂製フレキシブルホースである。
請求項２に記載の本考案は、前記フッ素樹脂が透明、あるいは半透明のものである請求項１に記載のフッ素樹脂製フレキシブルホースである。
【考案の効果】
【０００７】
本考案によれば、耐圧性、ならびに耐熱、耐寒性にもすぐれ、かつ従来にないきわめて小さい半径で曲げることができるフレキシブルホースが実現し、機器の配置がコンパクトになって設備の製造コストが低減されるばかりでなく、材質によっては内部の状態もよく見えるので機器の運転管理レベルも向上するという、すぐれた効果を奏する。
【図面の簡単な説明】
【０００８】
【図１】本考案実施例のフッ素樹脂製フレキシブルホースを一部断面で示す正面図である。
【図２】図１におけるＡ部を拡大して示す部分正面図である。
【図３】従来公知の自動的燃料配管用ホースを示す斜視図である。
【考案を実施するための形態】
【０００９】
以下本考案の望ましい実施例を図面により説明する。
図１は実施例のフッ素樹脂製フレキシブルホース１を一部断面で示す正面図で、１１は中間部、１２は両側の端部、１１１は中間部の外径側にホースと一体で形成された複数の円板状のフィンである。内径側は全長にわたってストレートな平滑面である。端部１２には適宜、ニップル等の口金を取り付ける。
【００１０】
図２は図１におけるＡ部を拡大して示した部分正面図で、フィン１１１とフィン１１１との谷間を、その外面中央が本来の外径よりもやや細いＵ字形状としてある。
寸法例を示すと、全長は１５０ｍｍ、そのうち両端２０ｍｍずつを残して中央の１１０ｍｍが中間部であり、厚さ１ｍｍの円板状のフィン１１１が２ｍｍピッチで４０枚形成されている。このフィン１１１によってホースの強度を向上させ、曲げた場合に断面がつぶれ変形するのを防止している。
【００１１】
内径は全長にわたって８ｍｍ（公差は±０．１ｍｍ）で、端部の外径は本来のこのホースの外径である１０ｍｍで、フィン１１１の最大部分の径は１４ｍｍである。
フィン１１１とフィン１１１との谷間の間隔はフィン１１１の厚みと同じ１ｍｍであり、図２において、フィン１１１先端の丸みと、谷底の丸みはいずれも半径０．５ｍｍである。ただし谷部において外面中央が本来の外径よりも細くなっており、この部分の径は９ｍｍである。すなわち、谷部における最も薄い中央の肉厚は、本来の肉厚１ｍｍの半分である０．５ｍｍとなっている。これはこのホースを曲がりやすくするためである。
【００１２】
このホースを小さい半径で曲げた場合、曲げられた側の内側のフィン同士が接触するまで曲げられるので、この口径８×１０ｍｍのホースの場合、中心線で半径１８ｍｍまで曲げることができる。断面は円形のままで変化せず、また内面にしわが寄ることもない。
フィン１１１の外径を大きくすれば強度状のフィン効果は増大するが、わずかな曲げでもフィン同士が接触してしまうから曲げにくくなる。逆にフィン１１１の外径を小さくすれば耐圧性などは低下するが曲げ半径は小さくなる。
【００１３】
以上外径１０ｍｍのもので寸法例を挙げたが、外径２５．４ｍｍ程度までは全く同様の構成で製造可能である。
このようなフレキシブルホースは、金型による射出成形で量産可能であるが、太径の素材から機械加工で製造することもできる。
耐薬品性、強度その他を考慮してホースはフッ素樹脂製としているが、その中でも白色のＰＴＦＥよりも、透明度の高いＰＦＡ樹脂を使用すればホースが半透明となり、用途によっては内部の状態がよく見えるので、好ましい。
【符号の説明】
【００１４】
１  フレキシブルホース
１１  中間部
１２  端部
９１  内層
９２  中間層
９３  外層
１１１  フィン
【図１】
0003152225.tif 000003
【図２】
0003152225.tif 000004
【図３】
0003152225.tif 000005
(57)【要約】      （修正有） 【課題】屋外から持ち込む際に、キャスター付きスーツケースにおけるキャスター部に、簡易に装着できる、極めて衛生的なキャスターカバーを提供する。【解決手段】スーツケース本体の底部に設けたキャスターに、非通気性および耐水性シート素材を用い、キャスターを包み込む程度の大きさの巾着状のキャップ３を設け、キャップ３の口縁部、あるいは口縁部付近には、ゴム等の弾性ベルト、あるいはゴム等の弾性紐を素材とした緊締部材４を用いて緊締自在とし、ワンタッチでキャスターに装着・脱することを特徴とする。【選択図】図１
0003152207.tif 000002
【実用新案登録請求の範囲】
【請求項１】
キャスター付きスーツケースにおいて、該スーツケース本体（１）の底部に設けたキャスター（２）に、非通気性および耐水性シート素材を用い、キャスター（２）を包み込む程度の大きさの巾着状のキャップ（３）を設け、該キャップ（３）の口縁部、あるいは口縁部付近には、ゴム等の弾性ベルト（４）を用いて緊締自在とし、ワンタッチでキャスター（２）に装着・脱することを特徴とするキャスター付きスーツケースにおけるキャスターカバー。
【考案の詳細な説明】
【技術分野】
【０００１】
この考案は、キャスターカバーに関するものであって、特に、屋外において使用され、汚れたキャスター付きスーツケースのキャスターを覆うキャスターカバーである。
【背景技術】
【０００２】
従来、スーツケース付きキャスターは、使用者がスーツケースを持ち上げて運ぶ労力を半減させる省力的なものであり、屋外をキャスターを利用して引き歩くことにより、楽に使用できる便利なものである。
【０００３】
しかし、キャスターの車輪の部分が、地面と接触して転動しており、路面での散水・降水等の水でキャスターが濡れ、この濡れた水に路面の塵埃等が付着して汚れてしまう。
【０００４】
そして、この汚れたキャスターのまま室内に運び込むことは、不衛生であり、そのため、キャスターの全部を雑巾等でその都度払拭する必要があり、その作業は煩雑であった。
【０００５】
それに代わって、キャスターとハンドルとスーツケースを搭載する台枠とが一体となったフレームと、スーツケースとが分離されるものがあり、室内に入れる際には、スーツケースのみを、フレームから取り外してしまうものも存在するが、その装着脱も煩雑なものであった。
【０００６】
キャスターの部分をハードなケースで覆うキャスターカバーが存在している。例えば、特許文献１のように。
【先行技術文献】
【特許文献】
【０００７】
【特許文献１】特開２００３−１２７６０６号公報
【０００８】
しかしながら、このような構造では、キャスターの軸部を支える架台の構造によっては利用できないという欠点があり、さらに、カバーを構成する連結部分用のホールから、キャスターに付着した塵埃等が室内に落下してしまい、不衛生であるという欠点があった。
【考案の概要】
【考案が解決しようとする課題】
【０００９】
そこで、本願出願人は、屋外から持ち込むキャスター付きスーツケースにおけるキャスター部を、簡易に装着でき、塵埃等が落下することなく、極めて衛生的なキャスターカバーを開発・提供することにある。
【課題を解決するための手段】
【００１０】
この考案は、カバーを，巾着状に形成することにより、殆どのキャスターに利用が可能であって、キャスターへの装着脱が極めて簡単な、キャスター付きスーツケースにおけるキャスターカバーである。
【考案の効果】
【００１１】
この考案によると、カバーを、非通気性及び耐水性シート素材で形成しており、水や塵埃をカバー外部に漏らすことなく、衛生的であり、キャップは巾着状に形成しており、また、キャップの口縁部、あるいは口縁部付近には、ゴム等の弾性ベルトを設けており、キャスターへの装着・脱が簡単に行える等の極めて有益なる効果を奏するものである。
【図面の簡単な説明】
【００１２】
【図１】この考案のカバーの一実施例を示す説明図である。
【図２】この考案の使用状態を示す一部欠截説明図である。
【図３】この考案に使用するキャスター付きスーツケースの斜視図である。
【考案を実施するための形態】
【００１３】
この考案の形態とは、キャスターをカバーするため、キャップは巾着状に形成し、該キャップの口縁部をゴム等の弾性ベルトで緊締しており、殆どのキャスターに利用が可能で、キャスターへの装着・脱が極めて簡単な、キャスター付きスーツケースにおけるキャスターカバーとしたものである。
【実施例】
【００１４】
この考案の一実施例を図面に従って詳述すると、キャスター付きスーツケースにおいて、該スーツケース本体（１）の底部に設けたキャスター（２）に、非通気性および耐水性シート素材を用い、キャスター（２）を包み込む程度の大きさの巾着状のキャップ（３）を設け、該キャップ（３）の口縁部、あるいは口縁部付近には、ゴム等の弾性ベルト、あるいはゴム等の弾性紐を素材とした緊締部材（４）を用いて緊締自在とし、ワンタッチでキャスター（２）に装着・脱することを特徴とするキャスター付きスーツケースにおけるキャスターカバーから構成されるものである。
【００１５】
尚、緊締部材（４）のキャップ（３）への取り付け方法の一例としては、シート素材で巾着状のキャップ（３）を縫着し、該キャップ（３）の口縁部付近に、一定幅置きに二本のカット線を複数条設け、その間に交互にゴム等の緊締部材（４）を差し込むものである。
【００１６】
又、緊締部材（４）のキャップ（３）への取り付け方法の他の例としては、図示はしないが、二重にシート素材で巾着状のキャップ（３）を縫着し、該キャップ（３）の口縁部に、該口縁部と平行に、一定の幅を保って、二本の縫着線を縫い、その間に緊締部材（４）を挿入するようにしてもよい。但し、これらの構造に限定されるものではない。
【産業上の利用可能性】
【００１７】
この考案のキャスターカバーの技術を確立し、かつ、このキャスターカバーを実施・販売することにより産業上の利用可能性がある。
【符号の説明】
【００１８】
１  スーツケース本体
２  キャスター
３  巾着状のキャップ
４  緊締部材
【図１】
0003152207.tif 000003
【図２】
0003152207.tif 000004
【図３】
0003152207.tif 000005
(57)【要約】      （修正有）【課題】誰でも、定位置に不良なく貼れ、短納期対応ができ、良品をのみを安定供給することができる粘着テープ貼り治具を提供する。【解決手段】上蓋５をかぶせた時、粘着付シート１７と被写体間に０．1ｍｍ以上の隙間を有し、上駆動部１４が下がるか、下駆動部１５があがるか又は、上駆動部１４、下駆動部１５の両方が駆動する事で粘着付シート１７と被写体が垂直に貼ることで位置決めができる。【選択図】図２
0003152205.tif 000002
【実用新案登録請求の範囲】
【請求項１】
上蓋をかぶせた時、粘着付シートと被写体間に０，1ミリメート以上の隙間を有し、上駆動部が下がるか、下駆動部があがるか又は、上駆動部、下駆動部の両方が駆動する事で粘着付シートと被写体が垂直に貼ることで位置決めができる貼り治具
【考案の詳細な説明】
【技術分野】
【０００１】
本考案は、両面テープ又は、粘着剤付き材料と被写体の貼り位置精度を重視した貼り治具に関するものである。
【背景技術】
【０００２】
従来は、下側に両面テープ等のシートを置き、上側を被写体と同形状にくりぬいた雛形をかぶせて、被写体をはめ込む方法で貼っていたが、一辺（端）を当てて位置を決め被写体を落とし込みで貼っていたが、端から貼る為、端部から粘着部が付いてしまい正確に貼りずらく、熟練者以外不良率が高くなる欠点がある。
【０００３】
従来は、片方を丁番等で止め、下側に被写体を置き、上側に粘着付きシートを置き、貼り付ける手法であるが、かぶせると丁番側が先に付いてしまい、位置ズレが発生して不良発生の一因であった。又、粘着付シートを上側にセットすれば脱落しやすく、一度落ちてしまえば粘着部がむきだしで、被写体に付くが定位置に付く事はなく、不良となる。
【０００４】
いずれの場合でも、被写体を一個ずつ貼る手法であり、時間がかかるだけでなく熟練も要し、大量数の貼り付け作業には、じんかい作戦に頼るしかなく限界であった。
【先行技術文献】
【特許文献】
【０００５】
【特許文献１】なし
【考案の開示】
【考案が解決しようとする課題】
【０００６】
解決しようとする問題点は、不慣れな人でも熟練者でも誰でも、定位置に不良無く貼れ、短納期対応ができ、良品をのみを安定供給することが最も重要な課題である。
【課題を解決するための手段】
【０００７】
課題を解消する為に本考案は、被写体と粘着層が垂直に上下することで、貼りズレが無く貼りあわす事で、簡単に誰でも作業が可能にした。
【考案の効果】
【０００８】
本考案のテープ貼り治具は、特別な教育又は、熟練を要さなくても簡単に正確に貼れる利点があり、緊急対応又は、納期対応ができる利点がある。
【０００９】
本考案のテープ貼り治具は、一度に複数枚貼れる事でコストを控える事ができる利点がある。
【００１０】
本考案のテープ貼り治具を使用する事で、奇麗に貼れるため、不良がなく貼るズレ商品の混入がなく、再検査等手間がかからなくなるばかりか、信頼の高い商品の供給が容易である。
【実施例１】
【００１１】
図１は、被写体に貼り付けるための材料構造体の構成図であり粘着つき材料１７の構成で、両面粘着層（両面テープ）の場合は、離軽シート１を使用し、片面粘着付材料（粘着テープ状）の場合の材料は、転写できるように離軽シート１の部分が微粘着のキャリアシート１となる。両面粘着と片面粘着層で使用する材料が変わる。その上に粘着層及び片面粘着材料２が載り、その粘着層が使用目的まで付かないように、粘着層保護膜３をつけておく。被写体と粘着層及び片面粘着付材料２の位置を合す為の穴を、シート位置決め穴４をあけておく。
【００１２】
図２は、上側蓋部５を開けた状態の説明図であるが、上側蓋部５に被写体１０と粘着層を合す共通のシート位置決めピン８があり、その中に図１で説明した粘着剤付シート１７の位置決め穴４をシート位置決めピン８に入れると、被写体１０の位置と粘着層の位置が固定される。粘着剤付シート１７を取り付けて蓋をして脱落するようであるなら、シート脱落防止９をつける。下側６の被写体固定ホルダー１１の中に被写体１０を各被最上部に付いて写体固定ホルダー１１に数十枚ずつ入れ粘着剤付シート１７の上についている粘着層保護膜３を取除く。
【００１３】
図３は、本考案貼り治具の側面図であり、上側蓋部５に押さえ部７と上駆動部１４、シート位置決めピン８、シート脱落防止９の構成からなり、下側６は、シート位置決めピン受け１３、シート固定ホルダー１１、下駆動部１５の構成となり、上側蓋部５と下側６を連結している部分が、丁番１２である。  
【００１４】
図４は、本考案の貼り治具の丁番１２を起点とし上側蓋部５を蓋をした時の側面図であるが、この貼り治具の特長である押さえ部７を押さない（スタンバイ）状態で粘着層及び片面粘着材料２と被写体１０の間に必ず隙間１６（０．１ｍｍ以上）を有している事を特徴とする。蓋をして、粘着剤付シート１７が脱落する場合、粘着付きシート１７の端側を一部分押さえるシート脱落防止９を付けると良い。
【００１５】
図５は、本考案の貼り治具側面図であるが、本考案の第二の特徴である押さえ部７を押すと上駆動部１４が垂直に下がり、シート位置決めピン８が下側６のシート位置決めピン受け１３に入り被写体１０と粘着層及び片面粘着材料２の位置を管理する。垂直に貼り合わす事で、貼り精度が大変よくなる。
【００１６】
図６は、本考案の貼り治具の第三の特徴である実施例側面図であるが、図２から図４を繰り返すと下側被写体固定ホルダー１１の中に入れている被写体１０が少なくなると、被写体固定ホルダー１１より低くなる。その場合上側蓋部５のみの駆動があっても貼り合わせが不能であり、上に押し出すて被写体固定ホルダー１１の表面にだす必要性がある。その為下側も駆動して、上駆動１４と下駆動１５の両方を動かす事で、被写体１０を数十枚セットでき、粘着シート１７も多数枚セットする事で作業効率が上がり、次から次に正確に貼る事でスピードアップでき、尚且つ精度良く誰でも貼り合わせができおおいに期待できて役立つ貼り治具である。
【産業上の利用可能性】
【００１７】
同じ動作の繰り返し作業の為、ロボットで貼る事も容易であり、自動化も可能であり効率をアップも適用できる粘着付シート材料貼り
【図面の簡単な説明】
【００１８】
【図１】粘着付シート１７の構成図である。
【図２】本考案貼り治具構成説明図である。
【図３】本考案側面説明図である。（実施例１）
【図４】本考案最良側面図である。（実施例２）
【図５】本考案使用側面図である。（実施例３）
【図６】本考案使用側面図である。（実施例４
【符号の説明】
【００１９】
・  離軽シート及びキャリアシート
・  両面粘着層及び片面粘着付材料
・  粘着層保護膜
・  シート位置決め穴
・  上側蓋部
・  下側
・  押さえ部
・  シート位置決めピン
・  シート脱落防止
・  被写体
・  被写体固定ホルダー
・  丁番
・  シート位置決め穴受け
・  上駆動部
・  下駆動部
・  隙間
・  粘着付きシート（離軽シートに粘着材料が付いた物）
【図１】
0003152205.tif 000003
【図２】
0003152205.tif 000004
【図３】
0003152205.tif 000005
【図４】
0003152205.tif 000006
【図５】
0003152205.tif 000007
【図６】
0003152205.tif 000008
(57)【要約】      （修正有） 【課題】平面的な写真を立体的かつ絵画風に仕上げた立体画を容易に提供する。【解決手段】コンピュータに取り込んだ画像情報を油絵風に加工し、加工した画像情報を透明フィルムに印刷、さらに印刷塗料の表面に透明樹脂を塗布して凹凸仕上げをして画材とし、この画材を該画材から所定の間隔を隔てて保持する第２の空間９を備えた多層構造を有する額縁に装着する。この構造により透明樹脂の凹凸が陰影を白色プレート１０にもたらし裸眼での距離感を強調するとともに光の入射角によりフィルム画６の奥行きの変化も得られる。また、透明樹脂の凹凸に様々なタッチで仕上げていくことでも立体感が増す。【選択図】図２
0003152257.tif 000002
【実用新案登録請求の範囲】
【請求項１】
コンピュータに取り込んだ画像情報を油絵風に加工し、この加工した画像情報を透明フィルムに印刷し、さらにこの印刷した表面に透明樹脂を塗布して凹凸仕上げをして画材とし、この画材を、該画材から所定の間隔を隔てて保持する空間を備えた多層構造を有する額縁に装着したことを特徴とする写真を油絵風に仕上げた立体画。
【請求項２】
前記多層構造は、立体的視覚効果を得るための空間による額縁に対する構造であり、フィルム画の下面からスペーサを用い白色プレートにて空間を形成することを特徴とする請求項１に記載の写真を油絵風に仕上げた立体画。
【考案の詳細な説明】
【技術分野】
【０００１】
本考案は、写真、絵画を透明フィルムシートに印刷し、空間をもたせた額縁に装着した立体画に関するものである。
【背景技術】
【０００２】
人物写真を飾ることに躊躇する人も多い。
【先行技術文献】
【特許文献】
【０００３】
【特許文献１】実開平７−２６１９９号公報
【特許文献２】特開２００３−２９１６００号公報
【考案の概要】
【考案が解決しようとする課題】
【０００４】
写真や絵画などに興味を抱くが一歩踏み込めない。
特にお気に入りの人物写真を飾りたいが抵抗がある。
写真を変化させることで抵抗なく飾れるようになり前述の欠点を解決しようとするものである。
上述、実開平７−２６１９９号公報、特開２００３−２９１６００号公報では、カンバスに対する油絵に近い質感を求めたものであり従来の油絵の質感を超えるものではない。本考案では、被写体に対し立体的要素を作り出すことにより他に類のない油絵風に仕上げた立体画である。
【課題を解決するための手段】
【０００５】
本考案は、写真などの画像情報をコンピュータに入力し油絵風に加工を施し、透明フィルムシートに印刷した後、透明樹脂をコーティング、乾燥、紫外線カット処理、乾燥の手順でフィルム画を作製し、フィルム画を収める額縁に立体効果を高めるための多層構造を形成し、見た目にも類のない作品とすることで課題を解決している。
【考案の効果】
【０００６】
上述の様に、透明フィルムシートに印刷、透明樹脂の凹凸効果、額縁の多層構造が光の陰影を出し、見る角度により立体的効果と絵画的効果をあわせもつ事が出来、比較的安価に作品制作が可能である。
【図面の簡単な説明】
【０００７】
【図１】本考案のフィルム画を多層構造の額縁に納めた状態の断面図である。
【図２】図１において符号Ａ部分拡大断面図である。
【図３】フィルム画の斜視図である。
【図４】図３におけるＢ―ｂ断面図である。
【考案を実施するための形態】
【０００８】
画像情報をコンピュータに入力し、油絵風に加工処理する。加工処理された画像情報を透明フィルムシートに印刷し、透明樹脂を印刷物表面にヘラなどで凹凸を設け仕上げを施す。乾燥炉で乾燥後、紫外線カット剤を塗布し、再度乾燥するとフィルム画の完成となる。一方フィルム画を収める額縁は、多層構造とする。
【実施例】
【０００９】
以下、添付図面に従って実施例を説明する。
【００１０】
図１及び図２において、表面透明板２の下にマット４と第１の空間５を要しフィルム画６と表面透明板２の接触を防ぐ。さらに透明板７と空間調整スペーサ８を用い第２の空間９を形成することにより白色プレート１０へ陰影をもたらす。
【００１１】
図３及び図４において、透明フィルム１３に印刷塗料１４をプリントし、透明樹脂１５で凹凸仕上げを施し、１６紫外線カット剤を塗布による構成である。
【００１２】
本考案の実施例は上記図１、図３の組み合わせでおこる立体的視覚効果が得られるものである。
【符号の説明】
【００１３】
１    額縁全体図
２    表面透明板
３    木枠
４    マット
５    第１の空間
６    フィルム画
７    透明板
８    空間調整スペーサ
９    第２の空間
１０  白色プレート
１１  固定金具
１２  フィルム画全体
１３  透明フィルム
１４  印刷塗料
１５  透明樹脂
１６  紫外線カット剤
Ａ    額縁断面部
Ｂ    部分指定符号Ｂ
ｂ    部分指定符号ｂ
【図１】
0003152257.tif 000003
【図２】
0003152257.tif 000004
【図３】
0003152257.tif 000005
【図４】
0003152257.tif 000006
(57)【要約】      （修正有）【課題】チッソやリンを過剰にすることによって雑草が発生しにくい環境を作り、長期的に雑草の発生を抑える土壌を提供する。【解決手段】あらかじめ現況の雑草を完全除去した地面の上に培養土を敷き、締め固め、その上に珪藻土と接合剤を混ぜたものを敷き、締め固めることにより雑草が発芽、成長するのに適さない環境となり、長期的に雑草の発生を抑え、雑草の刈り取りや除草剤の散布といった作業の低減に役立つ。【選択図】図１
0003152295.tif 000002
【実用新案登録請求の範囲】
【請求項１】
培養土と、珪藻土と接合剤を混ぜ合わせたものを重ねて敷き詰めることによってチッソやリンを過剰摂取させることによる防草の構造
【考案の詳細な説明】
【技術分野】
【０００１】  本考案は、雑草の発生を抑制するに関するものである。
【背景技術】
【０００２】  従来は頻繁に雑草の刈り取りや除草剤の散布等をしていた。
【考案の開示】
【考案が解決しようとする課題】
【０００３】  刈払機等で刈った場合、雑草の地表面部分だけを刈るため、すぐにまた生えてきてしまい、何度も刈るといった作業が必要となる。除草剤の場合、効果が現れるまでに時間がかかる上に、雑草の種類によっては効果が現れにくいものもある。従って、あらかじめ雑草を完全除去した後に雑草の発生しにくい環境を作ることによって、前述の問題点を解決しようとするものである。
【課題を解決するための手段】
【０００４】  本考案は、チッソやリンを過剰にすることにより雑草が発生しにくい環境を作ることにより問題を解決しようとするものである。
【考案の効果】
【０００５】  上述の様に、本考案の防草ベースは事前に雑草を完全除去した上、チッソやリンを過剰にさせることにより雑草の発育に適さない環境を作ることにより長期的に雑草の発生を抑えることにより防草効果として役立つ。
【考案の実施するための最良の形態】
【０００６】  雑草を除去した地面の上に培養土を敷き固め、更にその上に珪藻土、接合剤を混ぜ合わせたものを敷き固める。
【実施例】
【０００７】  以下、添付図面に従って実施例を説明する。斜線部分１は現況の地面で、あらかじめ雑草は完全に除去しておく。斜線部分２は培養土で、しっかりと締め固める。斜線部分３は珪藻土と接合剤を混ぜたもので、斜線部分２同様にしっかりと締め固める。各層の厚さは現況の雑草の種類により増減させる。
【図面の簡単な説明】
【０００８】
【図１】本考案の防草ベースの構造を示す断面図である。
【符号の説明】
【０００９】１  現況の雑草を完全除去した地面
２  培養土を締め固めた層
３  珪藻土と接合剤を混ぜたものを締め固めた層
【図１】
0003152295.tif 000003
(57)【要約】      （修正有）【課題】雨水により提灯が破損することを防ぐ提灯用笠を提供する。【解決手段】提灯の上部にステンレス製の円形の笠を被せるものでステンレス板の中央にフック用の直径１ｃｍの穴を空けこの穴から端部に向け放射線状の切り込みを入れ、この切り込みの左右端を夫々左端は上に右端は下に折り曲げ、折り曲げ部分を互いに上下に噛み合わせる構造になっていることを特徴とする。【選択図】図２
0003152292.tif 000002
【実用新案登録請求の範囲】
【請求項１】
提灯の上部にステンレス製の円形の笠を被せるものでステンレス板の中央に電線の穴を空け中心から放射線状の切り込みを入れこの切り込みの左右端を夫々内外に折り曲げ折り曲げげを互いに嵌合させる構造になっていることを特徴とする山形の提灯用笠。
【考案の詳細な説明】
【技術の分野】
【０００１】本考案は提灯用の円形の笠である
【背景技術】
【０００２】従来は祭礼等の提灯を単にビニール袋で全体を被せて屋外に吊っていた。
【考案の開示】
【考案が解決しようとする課題】
【０００３】提灯に雨除けのビニール袋に電球用の直径約５ｃｍの穴を空けただけのものでは雨水の進入が防げず提灯が破損した。
【課題を解決する為の手段】
【０００４】  提灯の上部にステンレス円形の笠を被せ上記ビニールの穴をこの笠でカバーし雨水の進入を防ぐ。
【考案の効果】
【０００５】上述の様に本考案の笠は山形をした簡単な構造で提灯上部からの雨水の進入を防ぎ、ひいては提灯の底部分の水の溜りを無くし本体の損傷を防止することが出来る。
【考案を実施する為の最良の形態】
【０００６】図１は屋外に吊られた提灯の状態を示す
上部受け木１の下部につけられたフック２に提灯４を引っ掛け下部の枠３より紐１１で引っ張り固定する。
上部横引きのコード７の防水型電気分岐器９から電灯１０を提灯４の中へ吊下げる。
このあと前述のフック２の上部分で本考案の笠６を被せる。
【実施例】
【０００７】ステンレス製の厚０．１ｍｍの板で本考案の笠６を造り上部フック２に引っかけ提灯の雨水の進入を防ぐものである。【０００８】本考案の一例を示せばステンレス板厚０１ｍｍ直径２７ｃｍ（小は同２０ｃｍ）の円形の板の中心からの切り口の左端部１２を１５ｍｍ下に折り曲げ、右端部１３を２０ｍｍ上に折り曲げ夫々を上下に嵌合させる。なお中央に電線コード用の穴１４が空けられている。
【図面の簡単な説明】
【０００９】
【図１】本考案の全体構造を示す図
【図２】提灯の上部部分を示す詳細図
【図３】本考案の笠の組み立て図
【図４】本考案の笠の完成図
【符号の説明】
【００１０】  １    提灯用上部受け木
２    フック
３    提灯用下部枠
４    提灯
５    提灯吊り金物
６    本考案の笠
７    上部横張り配線コード
８    電灯用吊りコード
９    防水型電気分岐器
１０  防水型ソケット付電灯
１１  固定用紐
１２  笠切り口左端部
１３  笠切り口右端部
１４  電線コ−ド用穴
【図１】
0003152292.tif 000003
【図２】
0003152292.tif 000004
【図３】
0003152292.tif 000005
【図４】
0003152292.tif 000006
【手続補正書】
【提出日】平成20年10月10日(2008.10.10)
【手続補正１】
【補正対象書類名】実用新案登録請求の範囲
【補正対象項目名】全文
【補正方法】変更
【補正の内容】
【実用新案登録請求の範囲】
【請求項１】
提灯の上部にステンレス製の円形の笠を被せるものでステンレス板の中央にフック用の穴を空け中心から端部に向け放射線状の切り込みを入れ，この切り込みの左右端を夫々左端は上に右端は下に，二つ折りに折り曲げ（但し中心は０とする）折り曲げ部分を互いに上下に噛み合せる構造になっていることを特徴とする山形の提灯用笠。
【手続補正書】
【提出日】平成20年12月12日(2008.12.12)
【手続補正１】
【補正対象書類名】実用新案登録請求の範囲
【補正対象項目名】全文
【補正方法】変更
【補正の内容】
【実用新案登録請求の範囲】
【請求項１】
提灯の上部にステンレス製の円形の笠を被せるものでステンレス板の中央にフック用の直径１ｃｍの穴を空けこの穴から端部に向け放射線状の切り込みを入れ、この切り込みの左右端を夫々左端は上に右端は下に折り曲げ、折り曲げげを互いに上下に噛み合わせる構造になっていることを特徴とする山形の提灯用笠。
【手続補正書】
【提出日】平成21年2月18日(2009.2.18)
【手続補正１】
【補正対象書類名】実用新案登録請求の範囲
【補正対象項目名】全文
【補正方法】変更
【補正の内容】
【実用新案登録請求の範囲】
【請求項１】
提灯の上部にステンレス製の円形の笠を被せるものでステンレス板の中央にフック用の直径１ｃｍの穴を空けこの穴から端部に向け放射線状の切り込みを入れ，この切り込みの左右端を夫々左端は上に右端は下に折り曲げ，折り曲げげを互いに上下に噛み合わせる構造になっていることを特徴とする山形の提灯用笠。
【手続補正書】
【提出日】平成21年4月16日(2009.4.16)
【手続補正１】
【補正対象書類名】実用新案登録請求の範囲
【補正対象項目名】全文
【補正方法】変更
【補正の内容】
【実用新案登録請求の範囲】
【請求項１】
提灯の上部にステンレス製の円形の笠を被せるものでステンレス板の中央にフック用の直径１ｃｍの穴を空けこの穴から端部に向け放射線状の切り込みを入れ、この切り込みの左右端を夫々左端は上に右端は下に折り曲げ，折り曲げ部分を互いに上下に噛み合わせる構造になっていることを特徴とする山形の提灯用笠。
(57)【要約】      （修正有）【課題】調理しながら調理器具の周りの余熱を利用し水温を上昇させる温水器を提供する。【解決手段】温水器は、主として水タンク１、蛇腹パイプ３、該水タンクと蛇腹パイプを連結する耐熱ホース２、コンロ４、温水の逆流を防止する逆支弁５、蛇腹パイプをコンロ等に固定する固定具６により構成する。上記コンロ４で加熱するやかん等の周辺に該蛇腹パイプを配する。コンロ４の周辺に発生した余熱により該蛇腹パイプが加熱され、その内部に通流する水を加温し、温水は自然循環により、水タンク１に蓄えられる。水タンク１から、逆支弁５を介して蛇腹パイプ３に供給される水は、蛇腹パイプ３で加熱され上記と同流の循環をする。水タンク１に蓄えられた温水は、風呂等に利用する。【選択図】図１
0003152293.tif 000002
【実用新案登録請求の範囲】
コンロの五徳の周りに蛇腹パイプを設置し、やかん等周りから出る予熱を利用し水温を上昇させる温水器。
【考案の詳細な説明】
【考案の詳細な説明】
コンロの周りからの予熱を利用することにより熱を逃さず水を自然循環させ、水温を上昇させることにより風呂などを沸かす時間と燃料を節約することができ、集合住宅など太陽熱が利用できない場所でも安易に設置できるものである。
【図面の簡単な説明】図で見るようにコンロの上に装置し、火をつけるだけの簡単な温水器である。
0003152293.tif 000003
【手続補正書】
【提出日】平成20年11月17日(2008.11.17)
【手続補正１】
【補正対象書類名】実用新案登録請求の範囲
【補正対象項目名】全文
【補正方法】変更
【補正の内容】
【実用新案登録請求の範囲】
【請求項１】
コンロの五徳の周りに蛇腹パイプを設置し、やかん等の周りから出る余熱を利用し水温を上昇させる温水器。
【手続補正２】
【補正対象書類名】明細書
【補正対象項目名】全文
【補正方法】変更
【補正の内容】
【考案の詳細な説明】
【考案の詳細な説明】
コンロの周りからの余熱を利用することにより熱を逃さず水を自然循環させ、さらに逆支弁（５）を入れ安全性を高め水温を上昇させることにより風呂などを沸かす時間と燃料を節約することができ、集合住宅など太陽熱が利用できない場所で安易に設置できるものである。［図１］で見るようにコンロの上に設置し、蛇腹パイプ（３）と固定具（６）を使い調理具に合わせ変形させる簡単な温水器である。
【図面の簡単な説明】
【図１】は、本考案の全体略図である。
【図２】は、固定具の図である。
【符号の説明】
（１）・・・水タンク（２）・・・耐熱ホース（３）・・・蛇腹パイプ（４）・・・コンロ（５）・・・逆支弁（６）・・・固定具（７）・・・蝶板（８）・・・フック
【手続補正３】
【補正対象書類名】図面
【補正対象項目名】全図
【補正方法】変更
【補正の内容】
【図１】
0003152293.tif 000004
【図２】
0003152293.tif 000005
(57)【要約】      （修正有）【課題】自転車のスタンドを立ててロックするだけで、鍵をかけることができる自動ロックスタンドを提供する。【解決手段】ワイヤー１本の配置で、自転車のスタンドを立ててロックしたとき、同時に自転車の鍵が瞬間にロックする自転車用自動ロックスタンドであって、後輪上部の鍵のつまみにワイヤーの一端を固定し、そのワイヤーをブレーキドラム脇の補助棒先端の輪を通して、スタンドロックの裏から左端に固定する構成とする。使用に当たっては、自転車を止めてスタンドを立て、スタンドをロックすると、その動力でワイヤーが強く引かれ、同時に上部の鍵がロックされる。【選択図】図１
0003152296.tif 000002
【実用新案登録請求の範囲】
【請求項１】
自転車用のワイヤー１本の配置で自転車の鍵が瞬間にロックする様装備した。
【考案の詳細な説明】
【背景の技術】
【０００１】昨今までの鍵は前輪が主だったので仲々の思いだったが…、最近は後輪に円型が主流になったので工夫した。便利である。
【考案の開示】
【考案が解決しようとする課題】
【０００２】自転車用のワイヤーを用意・スタンドロックの突端にワイヤーの通る穴を開ける。後輪上部の円型の鍵のノブ（つまみ）にワイヤーの一端を輪にして差し入れて止め、ブレーキドラムの脇からスタンドロックの穴に通して止める。
【考案解決しようとする手段】
【０００３】自転車を止める。スタンドを立てロックするとワイヤーの作動でロックする。鍵は抜くだけ。出発時はスタンドロックを戻すとワイヤーがゆるみ、鍵を入れるだけで抵抗なく戻る（開く）。
鍵の上下は約６センチ、ロックの左右の動きも６センチ、ワイヤーの動きは合理的である。
【図面の簡単な説明】
【０００４】
【図１】本考案の自動ロックスタンドのワイヤー配置図である。
【図２】円型鍵の拡大図である。
【図１】
0003152296.tif 000003
【図２】
0003152296.tif 000004
【手続補正書】
【提出日】平成21年2月12日(2009.2.12)
【手続補正１】
【補正対象書類名】実用新案登録請求の範囲
【補正対象項目名】全文
【補正方法】変更
【補正の内容】
【実用新案登録請求の範囲】
【請求項１】
ワイヤー１本の配置で、自転車のスタンドを立ててロックしたとき、同時に自転車の鍵が瞬間にロックするよう工夫した。後輪上部の鍵のつまみ（ノブ）にワイヤーの一端を固定し、そのワイヤーをブレーキドラム脇の補助棒先端の輪を通して、スタンドロックの裏から左端に固定する。自転車を止めてスタンドを立て、スタンドをロックすると、その動力でワイヤーが強く引かれ、同時に上部の鍵がロックされる仕組みである。
【手続補正２】
【補正対象書類名】明細書
【補正対象項目名】０００２
【補正方法】変更
【補正の内容】
【０００２】ワイヤーを鍵のつまみ（ノブ）から補助棒先端の輪を通し、スタンドロックの裏から左端に固定する。
【手続補正書】
【提出日】平成21年5月7日(2009.5.7)
【手続補正１】
【補正対象書類名】実用新案登録請求の範囲
【補正対象項目名】全文
【補正方法】変更
【補正の内容】
【実用新案登録請求の範囲】
【請求項１】
ワイヤー１本の配置で、自転車のスタンドを立ててロックしたとき、同時に自転車の鍵が瞬間にロックするよう工夫した自転車用自動ロックスタンドであって、後輪上部の鍵のつまみにワイヤーの一端を固定し、そのワイヤーをブレーキドラム脇の補助棒先端の輪を通して、スタンドロックの裏から左端に固定することにより、自転車を止めてスタンドを立て、スタンドをロックすると、その動力でワイヤーが強く引かれ、同時に上部の鍵がロックされる仕組みであることを特徴とする自転車用自動ロックスタンド。
(57)【要約】      （修正有）【課題】従来のゴムワイパーを雨除けだけの仕様とせず合わせて油膜や汚れも簡単に取り除くようにしたワイパーを提供する。【解決手段】吸収材１をゴムワイパー２に接着剤等で取付けて油膜取り液を吸収剤１で吸収して窓ガラスの油膜や汚れを取り除き視界を良くする様にしたものである。【選択図】図１
0003152294.tif 000002
【実用新案登録請求の範囲】
【請求項１】
降雨時に使用する自動車用ワイパーのゴム部分に油膜や汚れ取り用の吸収材を取付た油膜、汚れ取り吸収材付きワイパーで、従来のワイパーに車体のノズルから出る油膜取り液や窓ガラスに吹きかける油膜取り液スプレー等の液を吸収し、ワイパー使用時でも油膜や汚れを取る吸収材で従来のゴムワイパーに吸収材を接着剤で取り付けた油膜、汚れ取吸収材付きゴムワイパー。
【考案の詳細な説明】
【技術分野】
【０００１】    本考案は自動車等の窓ガラスに付く油膜や汚れを取り除くために吸収材に油膜取り液を浸みこませた。
【背景技術】
【０００２】  従来の技術としては、窓ガラスに吹き付ける雨や汚れ等をゴム製のワイパーで除けて視界を良くするようにする物であった。
【考案が解決しようとする課題】
【０００３】  従来の物件はゴム製のワイパーで雨や汚れ等を除けて視界を良くする物であるが、今回の改良は油膜取吸収材を取付た事で油膜取り液を窓ガラスに吹付けた後でも液をそのまま吸収材に吸収して油膜や汚れを取り除くように従来の欠点を解決したものである。
【課題を解決するための手段】
【０００４】  従来のゴム製ワイパーの先端に油膜取等吸収材を接着剤等で取付た丸型吸収材をワイパーに取付、走行中の破損を防ぎ尚且つ外れない様に改良し、従来の問題点を解決したものである。
【考案を実施するための最良の形態】
【０００５】  本考案は、従来のゴムワイパーの問題点を雨除けだけの仕様とせず合わせて油膜や汚れも簡単に取り除くように解決したものである。
【実施例】
【０００６】  以下、添付図３に従って一実施例を説明する。▲１▼は油膜を取り除くために▲２▼のゴムワイパーに▲３▼の接着剤等で取り付けたもので、走行中に▲１▼が飛ばされない様に周囲にも▲１▼と▲２▼の接着面の端の▲４▼．▲５▼にも接着補強し油膜取りとして▲６▼に取付て使用するものである。
【考案の効果】
【０００７】  上述の様に、本考案の求める油膜取り吸収材付きゴムワイパーは液等吸収材に油膜取り液を吸収させて窓ガラスの油膜や汚れを取り除くように解決したものである。
【図面の簡単な説明】
【０００８】
【図１】本考案の断面図である。
【図２】本考案の吸収材部断面図である。
【図３】本考案の実施例を示す全体図である。
【符号の説明】
【０００９】▲１▼    油膜、汚れ取吸収材
▲２▼    従来のゴムワイパー
▲３▼    ゴムワイパー取付用接着剤
▲４▼    上部
▲５▼    下部
▲６▼    車体取付側
【図１】
0003152294.tif 000003
【図２】
0003152294.tif 000004
【図３】
0003152294.tif 000005
【手続補正書】
【提出日】平成21年2月24日(2009.2.24)
【手続補正１】
【補正対象書類名】実用新案登録請求の範囲
【補正対象項目名】全文
【補正方法】変更
【補正の内容】
【実用新案登録請求の範囲】
【請求項１】
降雨時に使用する自動車用ワイパーのゴム部分に油膜や汚れを取り除く為の泡液等を吸収した吸収材（スポンジ）を取り付けた油膜、汚れ取りワイパーで、現在使用されているワイパーに、車体のノズルから出る油膜取り液や直接に吹きかける油膜取り泡スプレーを吸収させ使用するスポンジで接着剤や焼き付けによってワイパーのゴム部分に取り付けてワイパー使用時に液等がワイパー部分以外に多くの液が流れ出ない様に、この液等をスポンジに吸収し視界を遮る雨や油膜の汚れを取り除く為に長い時間を使用出来る様にワイパーのゴム部分とスポンジを一体化させた油膜、汚れ取り吸収材（スポンジ）付きワイパー。
【手続補正書】
【提出日】平成21年4月27日(2009.4.27)
【手続補正１】
【補正対象書類名】実用新案登録請求の範囲
【補正対象項目名】全文
【補正方法】変更
【補正の内容】
【実用新案登録請求の範囲】
【請求項１】
降雨時に使用する自動車用ワイパーのゴム部分に油膜や汚れを取り除く為の泡液等を吸収する吸収材を取り付けた油膜、汚れ取りワイパーで、車体のノズルから出る油膜取り液や直接に吹きかける油膜取り泡スプレー液を吸収させ使用する吸収材で、接着剤や焼き付けによってワイパーのゴム部分に取り付けて、ワイパー使用時に液等がワイパー部分以外に多くの液が流れ出ない様に、また、この液等を吸収材に吸収して視界を遮る雨や油膜の汚れを取り除く為に長い時間を使用出来る様に、ワイパーのゴム部分と吸収材を一体化させた油膜、汚れ取り吸収材付きワイパー。